(57)【要約】【課題】高機能通信の特性を制限することなく各国の要求する多様な回線接続部の特性や発信元番号通知サービスなどのサービスを効率良く対応する通信装置を提供する。【解決手段】アナログ回線接続部に回線直流捕捉部を２回路有し、そのうち１回路で直流捕捉を行なう。回線直流捕捉部はそれぞれ回線捕捉用のトランジスタを有する。これらのトランジスタのベースを抵抗で接続し、その値を切換えて回線直流捕捉特性を切換える。【選択図】        図１
2004320336.tif 000002
【特許請求の範囲】
【請求項１】
アナログ回線接続部に直流捕捉部を有し、接続したアナログ回線を介して本体部から通話、データ通信を行なう通信装置において、
前記直流捕捉部は２回路を有し、回線直流電流の方向によって前記２回路のうち１回路により直流捕捉を行なうことを特徴とする通信装置。
【請求項２】
請求項１において、前記直流捕捉部は１回路毎に１個のトランジスタを有し、前記トランジスタにより直流捕捉を行なうことを特徴とする通信装置。
【請求項３】
請求項２において、前記２個のトランジスタのコレクタはアナログ回線の２線のうち１線にそれぞれ接続され、それぞれのエミッタはお互いに接続されてさらに共通のエミッタ抵抗に接続され、さらにはアナログ回線の２線のうち１線に接続したダイオードに接続することを特徴とする通信装置。
【請求項４】
請求項３において、前記アナログ回線接続部に備えるトランスは回線一次側に２回路を有し、それら２回路は直流を遮断するコンデンサにより接続され、さらに前記２個のトランジスタのベース抵抗にそれぞれ接続することを特徴とする通信装置。
【請求項５】
請求項４において、前記２個のトランジスタのベースは抵抗によってお互いに接続され、その抵抗値を複数種類切換える切換え手段を有することを特徴とする通信装置。
【請求項６】
請求項５において、本体部の蓄積手段に蓄積するデータにより前記抵抗値を決定して切換える手段を有することを特徴とする通信装置。
【請求項７】
請求項５または６において、前記抵抗値切換え手段は直流捕捉時に動作する制御手段を有することを特徴とする通信装置。
【請求項８】
請求項４において、前記のトランスとトランジスタのベース抵抗の接続を切断する切断手段を有することを特徴とする通信装置。
【請求項９】
請求項８において、前記切断手段は第一の通信モード時には接続する制御手段を有することを特徴とする通信装置。
【請求項１０】
請求項９において、前記切断手段は第二の通信モード時には切断する制御手段を有することを特徴とする通信装置。
【請求項１１】
請求項４において、前記の２個のトランジスタのベース電流のバイパス手段を有することを特徴とする通信装置。
【請求項１２】
請求項１１において、前記のトランジスタベース電流のバイパス手段は捕捉する回線直流電流がある一定以上の値になった時に動作することを特徴とする通信装置。
【請求項１３】
請求項１１において、前記ベース電流のバイパス手段の動作／非動作を切換える切換え手段を有することを特徴とする通信装置。
【請求項１４】
請求項１３において、本体部の蓄積手段に蓄積するデータにより前記ベース電流のバイパス手段の動作／非動作を決定して切換える手段を有することを特徴とする通信装置。
【請求項１５】
請求項１１から１４において、前記ベース電流のバイパス手段は直流捕捉時に動作する制御手段を有することを特徴とする通信装置。
【発明の詳細な説明】
【０００１】
【発明の属する技術分野】
本発明は、通話のための電話機やファクシミリなどのデータ通信を行なう通信装置に関し、特に、アナログ回線接続部の回路やその制御手段に関する。
【０００２】
【従来の技術】
従来の通信装置においては、例えば電話機、Ｇ３ファクシミリ通信モードを搭載する通信装置、データモデムを使ったデータ通信装置などの場合は、そのほとんどがＰＳＴＮ（アナログ公衆回線）やアナログ回線を持つ構内交換機などに接続して使用するものである。
【０００３】
それらのＰＳＴＮ回線に接続して使用する通信装置は、接続する２線に直流ループ電流が流れるようにして通話や通信を開始する必要がある。すなわち、通常は切断しているリレー等を接続して直流ループ電流が流れるようにすると、ＰＳＴＮ回線を介して接続される局交換機がそれぞれを検知して、通信装置から発信されるダイヤ信号を検出したり、相手側通信装置と通話やデータ通信動作を可能な状態にしたりする。一方、接続しているリレー等を切断して流れている直流ループ電流を流さないようにすると、局交換機はそれを検出して、相手側通信装置と通話やデータ通信動作を中断する。
【０００４】
一方、通信装置をヨーロッパやその他の国の仕向け地に対応させるためには、それぞれの国が要求する直流ループ電流特性に合わせて製造する必要がある。
【０００５】
また、発信元番号通知サービスやＣａｌｌｅｒ  ＩＤサービスなどを実現するためには、直流ループ電流を流さない状態で回線から来る交流信号を受信しなくてはいけない。
【０００６】
例えば、特開平８−３３５９９４の提案では、直流ループ形成回路を半導体素子を用いて構成しその特性を切換える手段も設けて各仕向け地の要求する特性に合わせることができるようにしている。
【０００７】
【発明が解決しようとする課題】
上記に述べた特開平８−３３５９９４の提案では、ファクシミリ装置の電話回線に接続する部分にダイオードブリッジを使用して、その後段に接続する直流ループ閉結回路に対して極性を一致させているが、ダイオードブリッジの特性がファクシミリ装置の通信特性に影響し制限してしまっている。具体的には通信特性に必要なダイナミックレンジが小さくなってしまい、ＩＴＵ−Ｔ勧告Ｖ．３４やＶ．９０などの高機能通信の大きなレベルの信号の送受信が困難になっている。
【０００８】
本発明の目的は、アナログ回線に接続して通話のための電話機やファクシミリなどのデータ通信を行なう通信装置において、上記の問題を解決し、高機能な通信特性を制限することなくヨーロッパやその他の国が要求する多様な特性や発信元番号通信サービスなどに効率良く対応できる通信装置を提供することにある。
【０００９】
【課題を解決するための手段】
上記目的を達成するために、本発明は、アナログ回線接続部に直流捕捉部を有し、接続したアナログ回線を介して本体部から通話、データ通信を行なう通信装置において、前記直流捕捉部は２回路を有し、回線直流電流の方向によって前記２回路のうち１回路により直流捕捉を行なうことを特徴とする。
【００１０】
また上記目的を達成するために、本発明は、前記直流捕捉部は１回路毎に１個のトランジスタを有し、前記トランジスタにより直流捕捉を行なうことを特徴とする。
【００１１】
また上記目的を達成するために、本発明は、前記２個のトランジスタのコレクタはアナログ回線の２線のうち１線にそれぞれ接続され、それぞれのエミッタはお互いに接続されてさらに共通のエミッタ抵抗に接続され、さらにはアナログ回線の２線のうち１線に接続したダイオードに接続することを特徴とする。
【００１２】
また上記目的を達成するために、本発明は、前記アナログ回線接続部に備えるトランスは回線一次側に２回路を有し、それら２回路は直流を遮断するコンデンサにより接続され、さらに前記２個のトランジスタのベース抵抗にそれぞれ接続することを特徴とする。
【００１３】
また上記目的を達成するために、本発明は、前記２個のトランジスタのベースは抵抗によってお互いに接続され、その抵抗値を複数種類切換える切換え手段を有することを特徴とする。
【００１４】
また上記目的を達成するために、本発明は、本体部の蓄積手段に蓄積するデータにより前記抵抗値を決定して切換える手段を有することを特徴とする。
【００１５】
また上記目的を達成するために、本発明は、前記抵抗値切換え手段は直流捕捉時に動作する制御手段を有することを特徴とする。
【００１６】
また上記目的を達成するために、本発明は、前記のトランスとトランジスタのベース抵抗の接続を切断する切断手段を有することを特徴とする。
【００１７】
また上記目的を達成するために、本発明は、前記切断手段は第一の通信モード時には接続する制御手段を有することを特徴とする。
【００１８】
また上記目的を達成するために、本発明は、前記切断手段は第二の通信モード時には切断する制御手段を有することを特徴とする。
【００１９】
また上記目的を達成するために、本発明は、前記の２個のトランジスタのベース電流のバイパス手段を有することを特徴とする。
【００２０】
また上記目的を達成するために、本発明は、前記のトランジスタベース電流のバイパス手段は捕捉する回線直流電流がある一定以上の値になった時に動作することを特徴とする。
【００２１】
また上記目的を達成するために、本発明は、前記ベース電流のバイパス手段の動作／非動作を切換える切換え手段を有することを特徴とする。
【００２２】
また上記目的を達成するために、本発明は、本体部の蓄積手段に蓄積するデータにより前記ベース電流のバイパス手段の動作／非動作を決定して切換える手段を有することを特徴とする。
【００２３】
また上記目的を達成するために、本発明は、前記ベース電流のバイパス手段は直流捕捉時に動作する制御手段を有することを特徴とする。
【００２４】
したがって、本発明により、アナログ回線接続部に直流捕捉回路を有し、接続したアナログ回線を介して本体部から通話、データ通信を行なう通信装置において、高い通信性能や各国が要求する電気的特性、発信元番号通知サービスなどの要求を満足したアナログ回線接続部を備える通信装置を提供できるようになる。
【００２５】
【発明の実施の形態】
以下に本発明の実施例を図を参照しながら説明する。
【００２６】
図１は、本発明の全実施例による通信装置（例えばファクシミリ装置）のアナログ回線接続部と本体部を示す構成図である。
【００２７】
本実施例のアナログ回線接続部は図１に示すように、アナログ回線に接続するコネクタ１００１、外付けの電話機や留守番電話機に並列に接続するコネクタ１００２、アナログ回線をファクシミリ側か外付け電話機側に接続を切換えることができ通常は外付け電話機側に接続されファクシミリ側が動作する必要がある時にファクシミリ側へ接続を切換えるリレースイッチ１００３、アナログ回線からの着信信号を検知するＣＩ検知回路１００４、本ファクシミリ装置からダイヤルパルスモードで発呼する時にダイヤルパルス信号を生成するリレースイッチなどで構成されたダイヤルパルス発生部１００５、アナログ回線の直流を捕捉して直流ループを形成する２つの直流捕捉部１；１００６、直流捕捉部２；１００７、Ｇ３ファクシミリ通信を行なうためのモデム１００８、アナログ回線とモデム１００８を分離してアナログ回線からの交流信号をモデム１００８へ伝えたりモデム１００８からアナログ回線へ交流信号を伝えたり直流信号の一部を直流捕捉部１；１００６や直流捕捉部２；１００７へ供給したりするトランス１００９、４線で入出力するモデム１００８と２線で入出力するトランス１００９を接続する２−４線変換部１０１０で構成する。
【００２８】
また、本実施例のファクシミリ装置の本体部１０１１は装置全体の制御を行なうＣＰＵ１０１２、ＣＰＵ１０１２での動作制御のための各種処理プログラム等を格納するためのＲＯＭ１０１３、ＣＰＵ１０１２の作業用として使用したり動作制御のために必要なパラメータなどを一次格納したりするＲＡＭ１０１４で構成し、それぞれデータ、アドレスバスで接続されて動作している。また、ＣＰＵ１０１２は制御信号を有しており、リレー１００３、ダイヤルパルス発生部１００５、直流捕捉部１；１００６、直流捕捉部２；１００７、モデム１００８に接続されていて、例えば出力ポート信号によりそれぞれを制御する。例えばスイッチであればその信号のレベルによりスイッチの開閉を行なう。さらにＣＩ検知回路１００４からはその検知信号がＣＰＵ１０１２へ入力されており、例えばファクシミリ装置の待機中にアナログ回線から着信があった場合は、その検知信号がアクティブになってＣＰＵ１００４はそれを検出できる。
【００２９】
図２は、本発明の実施例による直流捕捉部１；１００６と直流捕捉部２；１００７をさらに詳細に説明する構成図である。
【００３０】
以下に図１と図２を参照しながら第一の実施例を説明する。第一の実施例ではそれぞれの直流電流捕捉部のトランジスタにより回線直流電流捕捉を行なう例を述べる。
【００３１】
ファクシミリ装置が通信状態か発呼状態である時は、リレースイッチ１００３をファクシミリ側に切換えて、アナログ回線（Ｌ１，Ｌ２）をダイヤルパルス発生部１００５や直流捕捉部１；１００６や直流捕捉部２；１００７に接続する。この時、ダイヤルパルス発生部１００５は直流電流捕捉を行なうためにＬ１やＬ２を切断せずにそのまま直流捕捉部１；１００６、直流捕捉部２；１００７へ接続するものとする。
【００３２】
ここで、ＳＷ１は開、ＳＷ２，ＳＷ３は閉、ＳＷ４は開とする。閉のＳＷはワイヤなどでショート状態にしてもよい。開の部分の回路であるＲ４，Ｑ３，Ｄ３，Ｄ４は無効であり無視してよい。
【００３３】
回線直流電流の捕捉を行なうトランジスタＱ１，Ｑ２はダーリントントランジスタなどが望ましい。アナログ回線の直流の極性をＬ１＝＋（正）、Ｌ２＝−（負）とすると、トランジスタＱ１が回線直流電流の捕捉を行なう。すなわち、トランジスタＱ１のベース電流がベースに接続される抵抗Ｒ３とＲ５で分圧された電圧を基準として決定されて流れ、トランジスタＱ１のコレクタ、エミッタ間電圧が決まり、回線直流電流はトランジスタＱ１、エミッタ抵抗Ｒ２，Ｒ１、逆流防止ダイオードＤ２の経路で流れる、すなわち回線直流電流捕捉を行なうようになる。ここでコンデンサＣ１は直流電流をカットするので、トランジスタＱ２のベース電流は流れずトランジスタＱ２がオンすることはない。
【００３４】
一方、アナログ回線の直流の極性をＬ１＝−（負）、Ｌ２＝＋（正）とすると、トランジスタＱ２が回線直流電流の捕捉を行なう。すなわち、トランジスタＱ２のベース電流がベースに接続される抵抗Ｒ３とＲ６で分圧された電圧を基準として決定されて流れ、トランジスタＱ２がオンしてトランジスタＱ２のコレクタ、エミッタ間電圧が決まり、回線直流電流はトランジスタＱ２、エミッタ抵抗Ｒ２，Ｒ１、逆流防止ダイオードＤ１の経路で流れる、すなわち回線直流電流捕捉を行なうようになる。ここでコンデンサＣ１は直流電流をカットするので、トランジスタＱ１のベース電流は流れずトランジスタＱ１がオンすることはない。
【００３５】
以上のように第一の実施例では、ダイオードブリッジを用いずに図２のような回路構成を用いて両方向の直流を問題無く捕捉することができるだけでなく、高機能な通信に必要な大きなダイナミックレンジなどの通信特性が問題無く得られるようになる。
【００３６】
以下に図１と図２、図３を参照しながら第二の実施例を説明する。第二の実施例では直流捕捉するトランジスタのベース電流を決定するＳＷ１を切換えて直流捕捉部の電気的特性を最適にする例を述べる。
【００３７】
第二の実施例では第一の実施例で説明した回線直流電流捕捉方法に加えて、ＳＷ１とＲ４が有効であるとする。ＳＷ１はリレースイッチ、スライドスイッチでも良いし、光ＭＯＳを利用したＦＥＴスイッチでもよい。
【００３８】
ＳＷ１が開の時は２つの直流捕捉用トランジスタＱ１，Ｑ２のベースを接続するベース間抵抗はＲ３のみであり、ＳＷ１が閉になるとベース間抵抗はＲ３とＲ４が並列接続されて小さくなる。すなわち、ＳＷ１が開の時に比べて閉の時はトランジスタＱ１、あるいはトランジスタＱ２のベース電流は小さくなるので、トランジスタＱ１、あるいはトランジスタＱ２のコレクタ電流は小さくなる。したがって、同じ回線電圧に対して回線直流電流は小さくなる。
【００３９】
図３は回線直流電流を捕捉している時のＬ１−Ｌ２での電圧（Ｖ）−電流（Ｉ）特性の図である。ヨーロッパなど各国はそれぞれ異なる特性を要求しており、それぞれの特性に満足するものでないと販売できない。図３では２種類の要求特性の例を示しているが、Ａ国は上限と下限を要求し、Ｂ国は上限のみを要求している。ここで、Ａ国とＢ国の両方の要求を同時に満足するのは、図２に構成する素子のばらつきなどを考慮すると非常に困難である。
【００４０】
したがって、上述したようにＳＷ１を切換えることによって異なる２つの電圧（Ｖ）−電流（Ｉ）特性を得ることができる。具体的には、Ａ国の要求特性を満足するためにＳＷ１を閉にしてＡ国の要求する上限と下限の間に入るように特性Ａを実現し、Ｂ国の要求特性を満足するためにＳＷ１を開にしてＢ国の要求する上限を上まわらないように特性Ｂを実現する。
【００４１】
以上のように第二の実施例では、スイッチを切換えるだけで各国が要求する多様な回線の電気的特性を容易に実現できるようになる。
【００４２】
以下に図１と図２、図３、図４、図５を参照しながら、さらに第三の実施例を説明する。ここでは第二の実施例で述べたように直流捕捉部の電気的特性を切換えるスイッチを本体部より制御できるようにして、本体部に蓄積するデータにより前記スイッチを切換えるとともに、その制御を回線直流電流捕捉時に切換えて制御する例を述べる。
【００４３】
第三の実施例では第一、第二の実施例で説明した回線直流電流捕捉方法、特性切換え方法に加えて、直流捕捉部１；１００６、直流捕捉部２；１００７にあるＳＷ１の開閉がＣＰＵ１０１２から制御できるものとする。具体的には例えば、ＣＰＵ１０１２から出力する信号がＨレベル（１）の時にＳＷ１は開となり、Ｌレベル（０）の時にＳＷ１は閉となる。もちろん逆にしてもよい。そのデータをあらかじめＲＯＭ１０１３に蓄積しておき、ファクシミリ装置が電源オン状態の時はＣＰＵ１０１２は必要に応じて読み出して、ＳＷ１の開閉を設定する。また、使用者がそのデータを変更した時はそのデータをＲＡＭ１０１４に格納して、ＣＰＵ１０１２は必要に応じて読み出して、ＳＷ１の開閉を設定する。ファクシミリ装置が電源オフされた時にＲＡＭ１０１４の中に格納されているデータが消えないようにＲＡＭ１０１４はバッテリーで格納しておいてもよい。
【００４４】
以下に図４を用いて、回線直流電流捕捉時にＳＷ１を切換えて制御する例を述べる。図４は第三の実施例による通信装置（例えばファクシミリ装置）の動作を示すフローチャートであり、すなわちＣＰＵ１０１２の制御動作であり、言い換えればＲＯＭ１０１３に格納するＣＰＵ１０１２での動作制御のための処理プログラムの内容である。
【００４５】
まず、スタンバイ時にはＳＷ１はオフ状態に設定する（Ｓ４０１）。スタンバイ時にはＣＩ検知回路１００４にて常時着信があるかどうかを検知しており着信有った場合や、また着信無しの場合は操作者が送信のための操作を行なうなどして発呼、送信する必要がある場合は、まずアナログ回線接続部にて回線直流を捕捉する動作を行なう（Ｓ４０２）。
【００４６】
まず、ＲＡＭ１０１４に格納しているＳＷ１の設定データを読み、ＳＷ１が設定できるようにそのデータを直流捕捉部１；１００６、直流捕捉部２；１００７へ出力する（Ｓ４０３）。図５はＲＡＭ１０１４の内部を示す概念図であり、ＡＡＡｈ番地のビット１にＳＷ１の設定データを格納していることを示す。そのデータを出力することによりＳＷ１の開閉は設定されて、直流捕捉部分の電気的特性が確定することになる。ここで、ＳＷ１の設定値は当初ＲＯＭ１０１３に格納されているが、使用者が変更した時はＲＡＭ１０１４に格納するので、変更が無い場合でもＲＯＭ１０１３の設定値をＲＡＭ１０１４に格納しておき、ＣＰＵ１０１２は常時ＲＡＭ１０１４の設定値を読み出すようにする。
【００４７】
そして、リレー１００３をオンして回線直流電流を捕捉する。ここで、ＳＷ１の開閉は保持されて電気的特性は維持されているので要求する電気的特性を図３のように満たすことができ、何ら問題無い。ここで、ダイヤルパルス発生部１００５は直流電流捕捉を行なうためにＬ１やＬ２を切断せずにそのまま直流捕捉部１；１００６、直流捕捉部２；１００７へ接続するものとする。その他の動作は第一、第二の実施例と同じである。そしてファクシミリ通信動作を行なう。発呼が必要な場合は、発呼動作を行なってファクシミリ通信動作を行なう（Ｓ４０４）。
【００４８】
ファクシミリ通信動作が終了したら（Ｓ４０５）、リレー１００３をオフした後にＳＷ１を必ずオフにして、スタンバイモードに戻り（Ｓ４０６）、本実施例のファクシミリ装置の動作は終了する。
【００４９】
以上のように、回線直流電流の捕捉時にのみＳＷ１を設定しスタンバイ状態などその他の状態ではＳＷ１はオフにするので、直流電流捕捉時以外の状態ではＳＷ１は電力を消費することがなくなり省エネルギーにつながり、さらにはＳＷ１は直流電流捕捉する直前にオンされ直流捕捉終了後にオフされるので、要求される直流捕捉部の電気的特性を確実に満足することができる。
【００５０】
次に図１と図２を参照しながら第四の実施例を説明する。第四の実施例では通信装置側にアナログ回線が接続されている時に、それぞれの直流電流捕捉部のトランジスタのベース抵抗の接続を切断して、直流電流を捕捉せずに交流信号の送受信を行なう例を述べる。
【００５１】
第四の実施例の図１において、ＳＷ２とＳＷ３が有効であり、ＳＷ２，ＳＷ３はリレースイッチや光ＭＯＳを利用したＦＥＴスイッチなどを用いて本体部より制御できるようにして、本体部に蓄積するデータにより前記スイッチを切換えることができるようにする。
【００５２】
ＳＷ２，ＳＷ３が閉の時の動作は、第一、第二、第三の実施例と同様な動作を行なうのでここでは特に詳細に説明しないが、通常の通信モード（第一の通信モード）時にはＳＷ２，ＳＷ３を閉にして使用する。
【００５３】
一方、発信元番号通知サービスやＣａｌｌｅｒ  ＩＤサービスなどを実現するために局交換機などから発信元番号情報を受信する時は、リレー１００３をオンにしてアナログ回線をファクシミリ側に接続するとともにＳＷ２，ＳＷ３を開にする。すなわち、直流捕捉のためのトランジスタＱ１，Ｑ２のベース信号がオープンになって電流が流れないため、トランジスタＱ１，Ｑ２はオンしないので、回線直流電流の捕捉は行なわない。同時にアナログ回線側から交流信号が入力されるとそのままトランスＴ１に伝わって２−４線変換部１０１０を経由してモデム１００８に入力される。また、モデム１００８から交流信号が出力されると、２−４線変換部１０１０、トランスＴ１を経由してアナログ回線へ交流信号が出力される。
【００５４】
以上のように、直流捕捉部１；１００６、直流捕捉部２；１００７にＳＷ２，ＳＷ３を設けて、第二の通信モード（発信元番号通知サービスやＣａｌｌｅｒ  ＩＤサービスなど）時に開にすると、問題無く回線直流電流を捕捉せずにアナログ回線と交流信号の送受信を行なうことができる。
【００５５】
以下に図１と図２、図６を参照しながら第五の実施例を説明する。第五の実施例ではそれぞれの直流電流捕捉部のトランジスタにベース電流バイパス手段を設けて、回線直流電流がある一定以上になった時にベース電流をバイパスさせて回線直流電流を上昇しないようにする例を述べる。
【００５６】
第五の実施例では第一の実施例で説明した回線直流電流捕捉方法に加えて、ＳＷ４とトランジスタＱ３、逆流防止ダイオードＤ３，Ｄ４が有効であるとする。ＳＷ４はリレースイッチ、スライドスイッチでも良いし、光ＭＯＳを利用したＦＥＴスイッチでもよい。トランジスタＱ３は普通のシリコントランジスタで良い。
【００５７】
アナログ回線間（Ｌ１，Ｌ２間）の電圧が小さい時は回線直流電流が小さいため、回線直流電流を捕捉する動作は第一の実施例で説明したものと同じである。すなわち、回線電流捕捉用のトランジスタＱ１，Ｑ２のエミッタ抵抗の一部であるＲ１間の電圧が約０．６Ｖを満たない時はトランジスタＱ３はオンしないので、トランジスタＱ１，Ｑ２のベース電流はバイパスしない。
【００５８】
一方、アナログ回線間の電圧が大きい状態の時は回線直流電流が大きくなるので、Ｒ１間の電圧は０．６Ｖ以上になりトランジスタＱ３はオンする。したがって、アナログ回線の直流の極性がＬ１＝＋（正）、Ｌ２＝−（負）の時にトランジスタＱ１が回線直流電流を捕捉している場合は、トランジスタＱ１のベース電流をダイオードＤ３、トランジスタＱ３のルートでバイパスして増加しないようにできる。また、アナログ回線の直流の極性がＬ１＝−（負）、Ｌ２＝＋（正）の時にトランジスタＱ２が回線直流電流を捕捉している場合は、トランジスタＱ２のベース電流をダイオードＤ４、トランジスタＱ３のルートでバイパスして増加しないようにできる。すなわち、どちらの方向のアナログ回線間の電圧が大きくなっても回線直流電流は大きくならない。
【００５９】
回線直流電流の特性を図に表わすと図６のようになる。例えば、汎欧州の要求する特性は破線のようになり、電圧の上限を要求すると共にある一定以上の回線直流電流が流れないように電流の上限も要求している。したがって、前述したようにＳＷ４をオン状態にすると、ある一定以上の回線直流電流が流れた時に回線直流電流を捕捉してトランジスタＱ１、あるいはＱ２のベース電流がバイアスされて回線直流電流が増加しないようになり、図６に示すような特性が得られて要求特性を満足できるようになる。
【００６０】
一方、図３のような電気的特性を得たい時にはＳＷ４を開にすればよく、第二の実施例で述べたような動作を行ない問題なく特性が得られる。
【００６１】
以下に図１と図２、図５、図６、図７を参照しながら、さらに第六の実施例を説明する。ここでは第五の実施例で述べたような直流捕捉部の電気的特性を切換えるスイッチを本体部より制御できるようにして、本体部に蓄積するデータにより前記スイッチを切換えるとともに、その制御を回線直流電流捕捉時に切換えて制御する例を述べる。
【００６２】
第六の実施例では第一、第五の実施例で説明した回線直流電流捕捉方法、特性切換え方法に加えて、直流捕捉部１；１００６、直流捕捉部２；１００７にあるＳＷ４の開閉がＣＰＵ１０１２から制御できるものとする。具体的には例えば、ＣＰＵ１０１２から出力する信号がＨレベル（１）の時にＳＷ４は開となり、Ｌレベル（０）の時にＳＷ４は閉となる。もちろん逆にしてもよい。そのデータをあらかじめＲＯＭ１０１３に蓄積しておき、ファクシミリ装置が電源オン状態の時はＣＰＵ１０１２は必要に応じて読み出して、ＳＷ４の開閉を設定する。また、使用者がそのデータを変更した時はそのデータをＲＡＭ１０１４に格納して、ＣＰＵ１０１２は必要に応じて読み出して、ＳＷ４の開閉を設定する。ファクシミリ装置が電源オフされた時にＲＡＭ１０１４の中に格納されているデータが消えないようにＲＡＭ１０１４はバッテリーで格納しておいてもよい。
【００６３】
以下に図５、図７を用いて、回線直流電流捕捉時にＳＷ４を切換えて制御する例を述べる。図７は第六の実施例による通信装置（例えばファクシミリ装置）の動作を示すフローチャートであり、すなわちＣＰＵ１０１２の制御動作であり、言い換えればＲＯＭ１０１３に格納するＣＰＵ１０１２での動作制御のための処理プログラムの内容である。
【００６４】
まず、スタンバイ時にはＳＷ４はオフ状態に設定する（Ｓ７０１）。スタンバイ時にはＣＩ検知回路１００４にて常時着信があるかどうかを検知しており着信有った場合や、また着信無しの場合は操作者が送信のための操作を行なうなどして発呼、送信する必要がある場合は、まずアナログ回線接続部にて回線直流を捕捉する動作を行なう（Ｓ７０２）。
【００６５】
まず、ＲＡＭ１０１４に格納しているＳＷ４の設定データを読み、ＳＷ４が設定できるようにそのデータを直流捕捉部１；１００６、直流捕捉部２；１００７へ出力する（Ｓ７０３）。図５はＲＡＭ１０１４の内部を示す概念図であり、ＡＡＡｈ番地のビット２にＳＷ４の設定データを格納していることを示す。そのデータを出力することによりＳＷ４の開閉は設定されて、直流捕捉部分の電気的特性が確定することになる。ここで、ＳＷ４の設定値は当初ＲＯＭ１０１３に格納されているが、使用者が変更した時はＲＡＭ１０１４に格納するので、変更が無い場合でもＲＯＭ１０１３の設定値をＲＡＭ１０１４に格納しておき、ＣＰＵ１０１２は常時ＲＡＭ１０１４の設定値を読み出すようにする。
【００６６】
そして、リレー１００３をオンして回線直流電流を捕捉する。ここで、ＳＷ４の開閉は保持されて電気的特性は維持されているので要求する電気的特性を図６のように満たすことができ、何ら問題無い。ここで、ダイヤルパルス発生部１００５は直流電流捕捉を行なうためにＬ１やＬ２を切断せずにそのまま直流捕捉部１；１００６、直流捕捉部２；１００７へ接続するものとする。その他の動作は第五の実施例と同じである。そしてファクシミリ通信動作を行なう。発呼が必要場合は、発呼動作を行なってファクシミリ通信動作を行なう（Ｓ７０４）。
【００６７】
ファクシミリ通信動作が終了したら（Ｓ７０５）、リレー１００３をオフした後にＳＷ４を必ずオフにして、スタンバイモードに戻り（Ｓ７０６）、本実施例のファクシミリ装置の動作は終了する。
【００６８】
以上のように、回線直流電流の捕捉時にのみＳＷ４を設定しスタンバイ状態などその他の状態ではＳＷ４はオフにするので、直流電流捕捉時以外の状態ではＳＷ４は電力を消費することがなくなり省エネルギーにつながり、さらにはＳＷ４は直流電流捕捉する直前にオンされ直流捕捉終了後にオフされるので、要求される直流捕捉部の電気的特性を確実に満足することができる。
【００６９】
以上の実施例で述べた各動作を組み合わせて動作させても何ら問題なく、その場合はさまざまな電気特性がスイッチの切換えによって得ることができ、さらに便利な通信端末を得ることができる。
【００７０】
【発明の効果】
以上説明したように、請求項１記載の通信装置によれば、アナログ回線接続部に直流捕捉部を有し、接続したアナログ回線を介して本体部から通話、データ通信を行なう通信装置において、前記直流捕捉部は２回路を有し、回線直流電流の方向によって前記２回路のうち１回路により直流捕捉を行なうようにしたので、回線電流の方向を規定するダイオードブリッジを使用する必要がなくなり、すなわち部品削減ができると共に高度な通信に必要なダイナミックレンジが何ら問題なく確保できるようになり、高度な通信性能を持つ通信装置が提供可能となる。
【００７１】
請求項２記載の通信装置によれば、前記直流捕捉部は１回路毎に１個のトランジスタを有し、前記トランジスタにより直流捕捉を行なうことができるようになるので、汎用のトランジスタを用いて直流捕捉回路を構成することが可能になる。
【００７２】
請求項３記載の通信装置によれば、前記２個のトランジスタのコレクタはアナログ回線の２線のうち１線にそれぞれ接続され、それぞれのエミッタはお互いに接続されてさらに共通のエミッタ抵抗に接続され、さらにはアナログ回線の２線のうち１線に接続したダイオードに接続することができるようになるので、直流捕捉部の構成が容易になる。
【００７３】
請求項４記載の通信装置によれば、前記アナログ回線接続部に備えるトランスは回線一次側に２回路を有し、それら２回路は直流を遮断するコンデンサにより接続され、さらに前記２個のトランジスタのベース抵抗にそれぞれ接続することができるようになるので、通信信号である交流信号を送受信する機能を併せ持った直流捕捉部の構成が更に容易になる。
【００７４】
請求項５記載の通信装置によれば、前記２個のトランジスタのベースは抵抗によってお互いに接続され、その抵抗値を複数種類切換える切換え手段を有することができるようになるので、直流捕捉するトランジスタのベース電流を複数種類切換えることができ、すなわち直流捕捉部分の電気的特性を必要に応じて複数種類切換えることができるようになり、各国の要求する複数の電気的特性に容易に合わせることが可能となり、複数の特性の要求に対し多数の通信装置を用意する必要がなくなり、製造工程の縮小化、コストダウンと言った効果が得られる。
【００７５】
請求項６記載の通信装置によれば、本体部の蓄積手段に蓄積するデータにより前記抵抗値を決定して切換えることができるようになるので、本体部に蓄積するデータにより決まった電気的特性が得られるようになり、本体部に蓄積するデータを変更すれば違った電気的特性も容易に得られると言った効果が得られる。
【００７６】
請求項７記載の通信装置によれば、前記抵抗値切換え手段は直流捕捉時に動作することができるようになるので、切換え手段がオンの時の消費電力は直流捕捉時のみに消費されるようになり、消費電力の軽減が可能になる。
【００７７】
請求項８記載の通信装置によれば、前記のトランスとトランジスタのベース抵抗の接続を切断することができるようになるので、回線直流電流を捕捉しないで交流信号を送受信できるようになり、すなわち発信元番号通知サービスなどの付加サービスを容易に利用可能にすることができる。
【００７８】
請求項９記載の通信装置によれば、切断手段は第一の通信モード時には接続することができるようになるので、通常のＧ３ファクシミリ通信など特定の通信モード時には接続して回線直流電流を捕捉した状態で交流信号を送受信できるようになり、さらには切換え手段がオンの時の消費電力は第一の通信モード時のみに消費されるようになり、消費電力の軽減が可能になる。
【００７９】
請求項１０記載の通信装置によれば、前記切断手段は第二の通信モード時には切断することができるようになるので、発信元番号通知サービスなど特定の通信モード時には切断して回線直流電流を捕捉しない状態で交流信号を送受信できるようになり、さらには切換え手段がオンの時の消費電力は第二の通信モード時のみに消費されるようになり、消費電力の軽減が可能になる。
【００８０】
請求項１１記載の通信装置によれば、前記の２個のトランジスタのベース電流のバイパス手段を有することができるようになるので、必要な時にトランジスタのベース電流をバイパスしてトランジスタで捕捉する回線直流電流を制限することができ、直流ループ電流特性を最適にすることができるようになる。
【００８１】
請求項１２記載の通信装置によれば、前記のトランジスタベース電流のバイパス手段は捕捉する回線直流電流がある一定以上の値になった時に動作することができるようになるので、捕捉する回線直流電流がある一定以上の値になった時にトランジスタのベース電流をバイパスしてトランジスタで捕捉する回線直流電流を制限することができ、さらに直流ループ電流特性を最適にすることができるようになる。
【００８２】
請求項１３記載の通信装置によれば、前記ベース電流のバイパス手段の動作／非動作を切換えることができ、多様な直流ループ電流特性に対応することができるようになる。
【００８３】
請求項１４記載の通信装置によれば、本体部の蓄積手段に蓄積するデータにより前記ベース電流のバイパス手段の動作／非動作を決定して切換えることができるようになるので、本体部に蓄積するデータにより決まった電気的特性が得られるようになり、本体部に蓄積するデータを変更すれば違った電気的特性も容易に得られると言った効果が得られる。
【００８４】
請求項１５記載の通信装置によれば、前記ベース電流のバイパス手段は直流捕捉時に動作する制御手段を有することができるようになるので、バイパス手段の動作／非動作を切換える切換え手段がオンの時の消費電力は直流捕捉時のみに消費されるようになり、消費電力の軽減が可能になる。
【図面の簡単な説明】
【図１】本発明の全実施例による通信装置（例えばファクシミリ装置）のアナログ回線接続部と本体部を示す構成図
【図２】本発明の全実施例による直流捕捉部１；１００６と直流捕捉部２；１００７をさらに詳細に説明する構成図
【図３】本発明の第二の実施例による回線直流電流を捕捉している時のＬ１−Ｌ２での電圧（Ｖ）−電流（Ｉ）特性図
【図４】本発明の第三の実施例による通信装置（例えばファクシミリ装置）の動作を示すフローチャート
【図５】本発明の第三の実施例によるＲＡＭ１０１４の内部を示す概念図
【図６】本発明の第五の実施例による回線直流電流を捕捉している時のＬ１−Ｌ２での電圧（Ｖ）−電流（Ｉ）特性図
【図７】本発明の第六の実施例による通信装置（例えばファクシミリ装置）の動作を示すフローチャート
【符号の説明】
１００１  アナログ回線に接続するコネクタ
１００２  外付けの電話機などに接続するコネクタ
１００３  リレースイッチ
１００４  ＣＩ検知回路
１００５  ダイヤルパルス発生部
１００６  直流捕捉部１
１００７  直流捕捉部２
１００８  モデム
１００９  トランス
１０１０  ２−４線変換部
１０１１  本体部
１０１２  ＣＰＵ
１０１３  ＲＯＭ
１０１４  ＲＡＭ
【図１】
2004320336.tif 000003
【図２】
2004320336.tif 000004
【図３】
2004320336.tif 000005
【図４】
2004320336.tif 000006
【図５】
2004320336.tif 000007
【図６】
2004320336.tif 000008
【図７】
2004320336.tif 000009